(57)【要約】【課題】別途発光エアゾールを吹き付ける対象を用意することなく、少量の発光剤エアゾールで、発光の効果を最大限に生かすことが可能な、発光剤エアゾール製品を提供する。【解決手段】本願発明に係る発光剤エアゾール製品は、単一液或いは二液性の発光剤組成物を封入し、エアゾール容器１の噴射口から噴射するようにしたものであり、上記容器１には、噴射口１６より放出される発光剤組成物を収容する、ディスプレー部２が設けられている。当該ディスプレー部２は、収容した放出後の発光剤組成物を外部より視認することが可能な透明或いは半透明な素材にて形成されたものである。従って、別途に発光させる対象物を用意する必要がない。また、缶から放出した発光剤組成物は、無駄なくディスプレー部２に付与される。【選択図】          図１
2005053484.tif 000002
【特許請求の範囲】
【請求項１】
単一液或いは二液性の発光剤組成物を封入し、エアゾール容器の噴射口から噴射するようにした発光剤エアゾール製品において、
上記容器には、噴射口より放出される発光剤組成物を収容する、ディスプレー部が設けられ、
当該ディスプレー部は、収容した放出後の発光剤組成物を外部より視認することが可能な透明或いは半透明な素材にて形成されたものであることを特徴とする発光剤エアゾール製品。
【請求項２】
上記のディスプレー部は、容器より放出された発光剤組成物を付着させることが可能な付着面を備えたことを特徴とする請求項１記載の発光剤エアゾール製品。
【請求項３】
上記のディスプレー部は、容器より放出された発光剤組成物を、少なくとも放出直後、漂わせることが可能な空間部を備えたことを特徴とする請求項１又は２記載の発光剤エアゾール製品。
【発明の詳細な説明】
【０００１】
【発明の属する技術分野】
本願発明は、発光剤エアゾール製品に関するものである。
【０００２】
【従来の技術】
発光剤エアゾール製品は、スプレー缶に封入された発光剤組成物を外部に噴霧することにより、発光させたい他のものに吹き付けることができる（特許文献１）。
例えば、夜間における非常連絡灯・標識灯・事故防止灯、夜間訓練・行動の巡回指示や目標物標識、或いは、装飾のための発光ディスプレーとして用いられる形象物に対して、発光性を付与する際、上記の発光剤エアゾール製品にて、このような形象物に発光剤を吹き付けて、そのような目的を達することができる。
【０００３】
【特許文献１】
特開２００１−２８６７９４号公報
【０００４】
しかし、このような、発光させたい対象に発光剤組成物をスプレーする従来の方法においては、対象に向けて噴霧した発光剤エアゾール総べてが対象に付着するものではない。即ち、対象から外れて無駄となるものが多く、発光剤組成物を多量に必要とし、経済的ではなかった。
また、装飾のために用いられる発光ディスプレーを形成する場合など、発光ディスプレーを噴霧する対象物を用意する手間が強いられ、簡便に発光による装飾を楽しむという訳にはいかなかった。
【０００５】
【発明が解決しようとする課題】
本願発明は、別途発光剤組成物を吹き付ける対象を用意することなく、少量の発光剤組成物で、発光の効果を最大限に生かすことが可能な、発光剤エアゾール製品を提供することにより、上記課題の解決を図った。
【０００６】
【課題を解決するための手段】
本願の第１の発明に係る発光剤エアゾール製品は、単一液或いは二液性の発光剤組成物を封入し、エアゾール容器１の噴射口から噴射するようにした発光剤エアゾール製品について、次の構成を採る。
即ち、上記容器１には、噴射口１６より放出される発光剤組成物を収容する、ディスプレー部２が設けられている。当該ディスプレー部２は、収容した放出後の発光剤組成物を外部より視認することが可能な透明或いは半透明な素材にて形成されたものである。
【０００７】
本願の第２の発明に係る発光剤エアゾール製品では、本願第１の発明に係る発光剤エアゾール製品にあって、上記のディスプレー部２は、容器１より放出された発光剤組成物を付着させることが可能な付着面を備える。
【０００８】
本願の第２の発明に係る発光剤エアゾール製品では、本願第１又は第２の発明に係る発光剤エアゾール製品にあって、上記のディスプレー部２は、容器１より放出された発光剤組成物を、少なくとも放出直後、漂わせることが可能な空間部を備える。
【０００９】
上記本願第１乃至第３の発明に係る発光剤エアゾール製品にあっては、容器１自身に、噴射口１６より放出される発光剤組成物を収容する、ディスプレー部２が設けられているため、別途に発光させる対象物を用意する必要がない。また、容器１から放出した発光剤エアゾールは、無駄なくディスプレー部２に付与される。従って、容器１から発光させる対象物に到るまで空中（開放された空間）に噴霧することになる、従来の方法に比して、少量のエアゾールで発光による効果を得ることができる。
【００１０】
【発明の実施の形態】
以下、図面を参照しつつ、本願発明の好ましい実施の形態について、説明する。
図１は、本願発明の一実施の形態である発光剤エアゾール製品の略縦断面図である。
説明の便宜上、図中、Ｕは上方を、Ｓは下方を示す。
【００１１】
図１に示す通り、この発光剤エアゾール製品は、発光剤組成物と噴射剤を封入する容器１と、容器外部に設けられたディスプレー部２とにて構成される。この実施の形態では、発光剤組成物は、二液性のものである。図１において、ディスプレー部２に付すべきハッチングは、図面の煩雑を避けるため、省略してある。
以下、当該発光剤エアゾール製品について、詳しく説明する。
【００１２】
発光剤組成物は、化学発光液である。化学発光液としては、シュウ酸エステルや蛍光物質などを調整してなる蛍光液と、過酸化水素やサリチル酸ナトリウムなどの酸化液で構成され、双方を混合することによって化学反応により発光するものである。
蛍光液として、例えば、フタル酸ジブチルにＣＰＰＯ（フタル酸化合物）とＢＰＥＡ（染料）を加えた溶液を用いることができ、酸化液として、フタル酸ジメチルに過酸化水素水とＳＳ（サリチル酸）を加えた溶液を用いることができ、噴射剤としてチッ素ガス、ヘリウムガス、空気、炭酸ガスなどの圧縮ガスを採用することが可能である。
ここでいう発光組成物とは、当該発光剤エアゾール製品の内容組成物を言い、通常は上記蛍光液と酸化液の混合物を指す。但し、ディスプレー部に蛍光液、酸化液の一方を塗布（収容）した場合などには酸化液又は蛍光液のいずれか単体を指す。
【００１３】
図１へ示す通り、容器は、上記の蛍光液と、酸化液とを別々に収容することが可能な二殻容器である。
この容器１は、発光剤組成物を加圧して収容する収容部１０と、収容部１０内を封ずると共に、作動させることにより収容部１０内の発光剤組成物を収容部１０の外部に噴射することが可能なバルブ１３とを有する。
上記容器１には、二殻式の周知のスプレー缶を採用することが可能である（例えば実開平６−５７８６８号公報）。
【００１４】
容器１の収容部１０は、第１収容部と第２収容部とにて構成される。第１収容部には、上記蛍光液と酸化液の何れか一方と噴射剤とが収容される。第２収容部には、上記蛍光液と酸化液の何れか他方と噴射剤とが収容される。
但し、第２収容部にある内容物を、第１収容部内の噴射剤によって、第１収容部にある内容物と同時に噴射できる構造の容器を採用することにより、第２収容部に、特に噴射剤を収容せずに実施することができる。
具体的には、収容部１０は、外部容器１１と、当該外部容器１１の内部に収容された内部容器１２とにて構成されている。外部容器１１の内部であって内部容器１２の外側が、上記の第１収容部を構成し、内部容器１２の内部が上記の第２収容部となる。
【００１５】
上記のバルブ１３は、外部容器１１の上部に設けられたものであり、第１収容部及び第２収容部と接続されたバルブ弁体１４と、先端部（上端部）を外部容器１１の上部より上方に露出させるステム１５と、バルブスプリング３とを備える。ステム１５の上端部には噴射口１６が設けられ、ステム１５の内部にはバルブ弁体１４と当該噴射口１６とを連絡する通路１７が設けられている。ステム１５を作動することにより、バルブ弁体１４を開弁することができる。バルブ弁体１４の開弁により、第１収容部及び第２収容部を、上記通路１７を通じて外部に開放することができ、これにて、第１収容部の内容物と第２収容部の内容物とを噴射口から外部へ一時に噴射することができる。即ち、バルブ弁体１４は、バルブスプリング３のスプリング張力を受けて収容部１０を閉鎖するものであり、ステム１５を作動させることによりバルブスプリング３の当該付勢（スプリング張力）に抗して収容部の内部と外部とを連絡する。このようなバルブ弁体１４の開弁により、蛍光液と酸化液の夫々を噴射剤にて外部に噴出すると共に、当該噴出にて蛍光液と酸化液とを混合することができる。
この実施の形態において、ステム１５は、上方から下方向に向けて作動することによりバルブ弁体１４を開弁する。
【００１６】
上記のディスプレー部２は、バルブ１３の先端部に取り付けられている。
詳しくは、ディスプレー部２は、バルブ１３の先端部に着脱自在に取り付けることが可能な取付部２１と、ディスプレー本体２２とを備える。少なくともディスプレー本体２２は、透明或いは半透明な素材にて形成されている。
この実施の形態において、取付部２１は、バルブ１３のステム１５先端に対応する形状の凹部を備えた嵌合部であり、バルブ１３のステム１５先端に強制嵌合することによって、ディスプレー本体２２をバルブ１３のステム１５に固定することができるものである。
取付部２１によりバルブ１３に取り付けられたディスプレー部２は、バルブ１３から噴射される発光剤エアゾールに対して（即ち噴射口１６に対して）常に定位置にある。しかも、噴射される発光剤エアゾールに対し、ディスプレー部２を、最も近接する位置に配置することができる。
【００１７】
この実施の形態において、ディスプレー本体２２は、半球状（ボール状／ｂｏｗｌ）に形成されたものであり、上方に凸曲面（外側面）を向けるよう、配設される。即ち、当該半球の凹曲面（内側面）の最深部（図１において内側面の最上部）に上記取付部２１が設けられている。
取付部２１とディスプレー本体２２とは、プラスチックを採用することにより、一体成型することができる。この図１に示す実施の形態において、ディスプレー本体２２は、少なくとも容器の上半分を覆う深さ（半径）を備えたものである。
ディスプレー本体２２について詳述すると、ディスプレー本体２２は、夫々、半球状（ボール状）の、表面部２３と裏面部２４とを備える。即ち、ディスプレー本体２２は、表面部２３と、当該表面部２３の裏側に重なる裏面部２４とを備えた、２重構造となっている（図１において、裏面部２４の上部に表面部２３が位置する）。表面部２３と裏面部２４とは、周縁部において結合しており（一体となっており）、表面部２３と裏面部２４間は、取付部２１以外において密閉されている。
上記の取付部２１は、上記の裏面部２４の裏面側に設けられ、取付部２１内には、バルブ１３のステム１５の噴射口１６と、上記表面部２３と裏面部２４との間とを連絡する導入路２５が設けられている。即ち、上記の表面部２３と裏面部２４間は、バルブ１３から放出された発光剤組成物の収容部を構成する。この実施の形態では、表面部２３と裏面部２４との間の中央に、上記導入路２５を通じてディスプレー本体２２内に放出された発光剤組成物を、一旦収容する隙間２６が形成されている。この隙間２６を通じて、表面部２３と裏面部２４の間の他の位置まで、発光剤組成物が広がる。発光剤組成物の進入により、プラスチックで形成されたディスプレー部２の表面部２３と裏面部２４との間の各部の間隔が大きくなる（図示しない）。但し、表面部２３と裏面部２４との間の間隔を、当初より、発光剤組成物が入り込める大きさにして実施することも可能である。
【００１８】
図１に示す発光剤エアゾール製品を使用する際、容器１に対して、上記のディスプレー部２（ディスプレー本体２２）を手で下方に押し下げることにより、バルブ１３のステム１５を押し下げ、バルブ弁体１４を開弁することができる。これにて、第１収容部及び第２収容部の蛍光液と酸化液とが、ステム１５の噴射口１６からディスプレー本体２２内へ放出される。
容器１から噴射され、表面部２３と裏面部２４との間に広がった発光剤組成物は、発光し、透明な表面部２３をディスプレー面として、外部から観察することができる。
【００１９】
半球状のディスプレー本体２２の寸法は、上記に限定するものではなく、種々変更可能である。又正確に半球（球の半分）でなくとも実施可能である。
【００２０】
図２を用いて、上記のディスプレー部２の、他の実施の形態について説明する。図２において、ディスプレー部２に付すべきハッチングは、図面の煩雑を避けるために省略している。
このディスプレー部２において、ディスプレー本体２２は、球形である。ディスプレー本体２２が呈する当該球は、中空である。ディスプレー本体２２が呈する球の内部が、バルブ１３より放出された発光剤組成物を漂わせることが可能な空間部ｋを構成する。この実施の形態において、ディスプレー本体２２の直径は、容器１の高さとほぼ同じである。但し、このような寸法は、変更可能である。
ディスプレー本体２２は、外面部２３ａと、外面部２３ａの内側面に重ねられた内面部２３ｂとを備えた、二重構造を有する。外面部２３ａは、ポリプロピレンやポリエチレンなどのプラスチック、或いはガラスなどの、透明又は半透明の素材にて形成されている。内面部２３ｂは、トレーシングペーパーや和紙などの半透明で発光剤組成物の吸着性のあるシート状体にて形成されている。
ここで、内面部２３ｂは、ディスプレー本体２２の外面部２３ａの裏面部が、発光剤組成物の吸着性がよくない場合を想定して、発光剤組成物の吸着性を良くするために上記の通り、トレーシングペーパーや和紙などの半透明で吸水性のあるシート状体にて内面部２３ｂが形成されている。従って、ディスプレー本体２２の外面部２３ａの裏面部自体が、発光剤組成物に対して吸着性を有する材質で形成され、もしくはそのような表面加工（少しざらざらな表面にするなど）が施されている場合には、特に内面部２３ｂを設けずに実施することができる。
ディスプレー本体２２の下部中央には、図１に示すものと同様、容器１のバルブ１３のステム１５の先端に嵌合することが可能な凹部が、取付部２１として設けられている。
具体的には、ディスプレー本体２２の外面部２３ａと内面部２３ｂとを貫通する孔を形成して、別体に形成した取付部材２５ａを当該孔内に固定する。この固定は、孔内へ取付部材２５ａを単に強制嵌合するものとしてもよく、この固定を確実とするために、更に接着剤などの固定手段を用いてもよい。また、上記のように、ディスプレー本体２２と別体に形成した取付部材２５ａを、ディスプレー本体２２に固定するのではなく、取付部材２５ａを、ディスプレー本体２２（外面部２３ａ）と一体に形成して実施することも可能である。
取付部材２５ａのディスプレー本体２２から外部へ露出する部位（下部）に上記の凹部（取付部２１）が形成されている。取付部材２５ａには、当該凹部（取付部２１）とディスプレー本体２２の内部とを連絡する導入路２５が形成されている（内面部２３ｂ内側の空間部ｋとバルブ１３の噴射口１６とを連絡する導入路２５が設けられている）。
上記の凹部（取付部２１）にバルブ１３のステム１５先端を挿入した際、凹部の底（奥）が当たりとなって、それ以上ステム１５が、ディスプレー本体２２側へ入り込むのを阻止することができる。
噴射によって、ディプレー本体２２の内圧が外部により高くならないように、ディスプレー本体２２の内外を連絡する調圧孔３１を、上記の取付部材２５ａ（導入路２５）とは、別に形成しておく。
【００２１】
上部よりディスプレー本体２２を下方に押し下げることによって、バルブ１３のステム１５が作動し、バルブ弁体１４が開いて、バルブ１３の噴射口１６から、上記導入路２５を経て、空間部ｋ内に、発光剤エアゾールが噴出される。
この噴出によって、発光剤エアゾールは、内面部２３ｂに付着して発光する。即ち、内面部２３ｂが発光剤組成物を付着させることが可能な付着面を提供する。
ディスプレー本体２２は、上記の球形のものに代え、多面体、動植物、乗り物、建物、星や天体、漫画のキャラクタなどの他の象形を呈するものとしても実施可能である。
【００２２】
このようなディスプレー部２の他の実施の形態について、図３を用いて説明する。
図３（Ａ）へ示すように、この実施の形態では、ディスプレー本体２２は、鳥をあしらったものとする。この場合、ディスプレー本体２２は、ポリプロピレンやポリエチレンなどのプラスチック、或いはガラスなどの、透明又は半透明の素材にて形成する。図３（Ａ）へ示す通り、ディスプレー本体２２内部には、空間部ｋを形成しておく。この空間部ｋを仕切るディスプレー本体２２の内側面に、トレーシングペーパーなどの吸水性のあるシート状体２３ｃを配設する。この実施の形態では、空間部ｋは底を備え上方が開口する円柱状の空間である。シート状体２３ｃは、筒状にして、空間部ｋの上方の開口部ｋ１（図１（Ｂ））から空間部ｋ内に配置される。
図３（Ａ）へ示す通り、ディスプレー本体２２の底面に、バルブ１３のステム１５先端と嵌合する凹部として取付部２１が設けられている。この取付部２１の上部と空間部ｋとの缶には導入路２５が設けられており、ノズル３から噴射した発光剤エアゾールは、空間部ｋ内に導かれ、シート状体２３ｃに付着する。
このように表面に凹凸の多い形象を呈するディスプレー部２を採用することにより、乱反射にて、発光剤エアゾールが輝き、独特の視覚効果を得ることができる。
この実施の形態において、上記の噴射後も、図１及び図２に示す実施の形態と同様、容器１とディスプレー部２を一体としたまま使用するものとしてもよいが、上記の噴射後ディスプレー部２を容器１（バルブ１３）から外して、ディスプレー部２のみ置物として使用することも可能である。
【００２３】
上記の各実施の形態において、ディスプレー部２は、バルブ１３（のステム１５）に設けられるものであった。この他、容器１の他の部位とディスプレー部２とを接続するものであっても実施可能である。
例えば、図４へ示すように、ディスプレー部２を、容器１全体を収容することが可能なものとして形成することも可能である。この図４において、説明の便宜上、Ｆは前方を、Ｂは後方を示す。また図４に付すべきハッチングは、図面の煩雑を避けるため省略してある。
具体的には、ディスプレー部２は、容器１全体を収容することが可能な内部空間を備えたハウジング２７と、ハウジング２７の内部に設けられたホルダ２８と、ハウジング２７の前部に設けられたディスプレー本体２２と、作動ボタン２７ａと、作動ボタン２７ａの操作にて作動する作動バー２７ｂとを備える。
【００２４】
ハウジング２７は、懐中電灯を象ったものである。
上記のホルダ２８は、ハウジング２７内において、容器１を水平に寝かせた状態として支持する。
この容器のバルブ１３のステム１５は、収容部１０に対して突出する角度を変える（下方に倒す）ことにより、前方Ｆに、発光剤組成物を噴射することができる。この容器１のステム１５には、バルブボタン３０が装着されている。このバルブボタン３０は、ステム１５の導入路２５の噴射口１６（図示しない。）に連絡する副噴射口２９を備える。
ハウジング２７に設けられた上記の作動ボタン２７ａを操作することにより、作動バー２７ｂを下方に変位させ、作動バー２７ｂにてバルブボタン３０を押圧し、上記のバルブ１３のステム１５を倒すことができる。これにて、上記噴射口１６（副噴射口２９）より、発光性組成物を噴射することができる。
ディスプレー本体２２は、ハウジング２７前方に設けられた開口部に取り付けられたものであり、ポリプロピレンやポリエチレンなどのプラスチック或いはガラスなどの透明又は半透明の素材にて形成された板状の外面部２３ａと、外面部２３ａの裏面（後方Ｂ側）に重ねられた内面部２３ｂとにて構成される。内面部２３ｂは、トレーシングペーパーなどの吸水性のあるシート状体である。ディスプレー本体２２と、容器１のバルブ１３のステム１５との間には、空間部ｋが設けられている。但し、この空間部ｋは、容器１と共に、ハウシング２７にて、外部と隔てられている。
ここで、内面部２３ｂは、前述（図２の場合）と同様、ディスプレー本体２２の外面部２３ａの裏面部が、発光剤組成物の吸着性がよくない場合を想定して、発光剤組成物の吸着性を良くするためにあるトレーシングペーパーや和紙などの半透明で吸水性のあるシート状体にて内面部２３ｂを形成している。よって、ディスプレー本体２２の外面部２３ａの裏面部が発光剤組成物に対して吸着性を持っている材質もしくは表面加工（少しざらざらな表面にするなど）している場合には特に内面部２３ｂを設けずに実施することができる。
上記の通り、作動ボタン２７ａを押して、作動バー２７ｂにて上記のバルブ１３のステム１５を作動させることにより、発光剤組成物がステム１５の頂部に取り付けたバルブボタン３０の副噴射口２９より噴射され、上記の内面部２３ｂに付着して発光する。
【００２５】
上記の各実施の形態において、容器１には、二液収容型の１本のスプレー缶を採用したが、図５へ示すように、２本のスプレー缶１ａ，１ｂにて構成するものとしても実施可能である。この場合、一方のスプレー缶に蛍光液を収容し、他方のスプレー缶に酸化液を収容すればよい。また、図５へ示すように、双方のスプレー缶１ａ，１ｂのノズルのステム１５，１５に結合管１８を装着して使用する。この結合管１８は、両バルブ１３，１３同時に作動し、両バルブ１３，１３の放出物を統合する二股管であり、上部の放出孔１８ａより、両バルブ１３，１３からの噴出物を同時に噴射する。図１及び図２に示すディスプレー部２の取付部２１を、この結合管１８の放出孔１８ａに、接続して使用することができる。
【００２６】
尚、上記の各実施の形態と異なり、容器１は、蛍光液と酸化液の何れか一方のみを収容するものとし、ディスプレー部２に、蛍光液と酸化液の他方を塗布（収容）し、上記一方の液をディスプレー部２に噴霧するものとしても実施可能である。
【００２７】
ディスプレー部２は、容器１に着脱自在に取り付けられるものとしたが、バルブ１３（ステム１５）や容器１の他の部位と一体に形成することによっても、実施可能である。但し、ディスプレー部２を、容器１と別体に形成し、容器１に取り付けるものとすることで、容器１に周知の規格化されたものを採用することができ、省コストの面で優れる。
【００２８】
【発明の効果】
本願第１乃至第３の発明の実施により、少量の発光剤組成物で、従来必要とされた発光の効果を得ることができる発光剤エアゾール製品を提供し得た。
また、発光させる対象を別途用意することなく、簡便に、従来にない斬新な装飾効果を奏する発光剤エアゾール製品を提供し得た。
【図面の簡単な説明】
【図１】本願発明に係る発光剤エアゾール製品の一実施の形態の略縦断面図である。
【図２】他の実施の形態の略縦断面図である。
【図３】（Ａ）は上記発光剤エアゾール製品のディスプレー部２の更に他の実施の形態の側面図であり、（Ｂ）はその平面図である。
【図４】本願発明に係る発光剤エアゾール製品のまた更に他の実施の形態を示す略縦断面図である。
【図５】容器１の他の実施の形態を示す正面図である。
【符号の説明】
１  容器
２  ディスプレー部
【図１】
2005053484.tif 000003
【図２】
2005053484.tif 000004
【図３】
2005053484.tif 000005
【図４】
2005053484.tif 000006
【図５】
2005053484.tif 000007